(57)【特許請求の範囲】
【請求項１】
平面円形多数の食品充填容器を列方向及び行方向に収納搬送するクレートに用いるトッププレートであって、
前記食品充填容器が、広口にして側面視逆台形状をなすように側面を傾斜面とした断面円形有底のカップ型の容器であり、
クレートの列方向及び行方向に隣接する４個の食品充填容器の間に形成される面内所定位置の空隙に曲げ起し挿入して該４個のうち対角位置で隣接する２個の食品充填容器に対接することによって食品充填容器を定位置に保持する曲げ起し片を備えて塑性板材によって形成してなり、
前記折り曲げ片が、その短辺を残して対向する斜辺及び長辺に切込み乃至スリットを入れることによって曲げ起しを可能とした台形状に形成され、
前記折り曲げ片を前記空隙に曲げ越し挿入することで、前記折り曲げ片の前記斜辺が、前記食品充填容器の前記側面に圧接することを特徴とするクレート用トッププレート。
【請求項２】
上記曲げ起し片を、コーナーに収容した食品充填容器に列方向及び行方向に隣接し且つ対角位置で隣接する２つの食品充填容器に対接するように面内端部近傍位置に配置してなることを特徴とする請求項１に記載のクレート用トッププレート。
【請求項３】
上記塑性板材をダンボール紙又は厚紙によって形成してワンウエイ用としてなることを特徴とする請求項１又は２に記載のクレート用トッププレート。
【請求項４】
上記多数収納した食品充填容器上の面内位置に該食品充填容器の平面より径小の透視孔を配置してなることを特徴とする請求項１、２又は３に記載のクレート用トッププレート。
【請求項５】
請求項１、２、３又は４に記載のトッププレートを用い、ダンボール又は厚紙によって形成して、平面円形の食品充填容器を列方向及び行方向に多数収納して搬送するワンウエイ用としてなることを特徴とするトッププレートを用いたクレート。
【発明の詳細な説明】
【技術分野】
【０００１】
本発明は、例えば、プリン、ヨーグルト、ゼリー等のチルド流通の食品を充填した食品充填容器を搬送するために用いる、クレート用トッププレート及びこれを用いたクレートに関する。
【背景技術】
【０００２】
例えば、チルド流通の食品は、該食品を充填した平面円形の食品充填容器の形態で販売されるところ、該食品充填容器は、例えば容器に対して加熱液を充填した後、搬送用のコンテナをなすクレートに所定数を収納して冷却室を経由して配送センターに一時保管し、クレートに収納のまま車両に搭載し小売店に搬送することによって小売に供されるものとされ、このとき該クレートは、底面を格子状乃至粗メッシュ状とした、例えば合成樹脂で一体成形した平面矩形にして、一般に上下積上げ時の位置決めとズレ防止のために位置決め脚を備えて構成し、回収洗浄して再利用するものとされており、該クレートは、例えば３列４行に１２個、４列５行に２０個のように、多数の食品充填容器を該クレートの列方向及び行方向に１段に整列して収納するように用いるものとされる。
【先行技術文献】
【特許文献】
【０００３】
【特許文献１】特開平９−８６６３１号公報
【発明の概要】
【発明が解決しようとする課題】
【０００４】
この場合、例えばチルド流通に適したクレートとすることができるが、クレートの高さによってはクレートと食品充填容器の上端との間に比較的大きな空間が残ることがあり、このようなクレートの形態によっては、振動を受けたときや傾斜保持されたとき等に、収納した食品充填容器が揺動したり、転倒したりすることがあり、揺動や転倒が生じると、製品に混濁や崩れが生じて開封時の商品価値を低下させる可能性を招くことがある。
【０００５】
また、例えば小ロットの商品用とするときや、排水事情によってクレートの洗浄に不適とされるときのような場合にクレートを、ワンウエイとすることが想定されるが、ワンウエイとするには、例えばダンボール、厚紙等の紙製とすることが好適であるところ、紙製とすると上記位置決め脚の設置が困難であり、従って、例えばクレートの上面を拡開して該拡開部に上段のクレート下端を受け入れる如くにすることになり、このような場合も、同様にクレートと食品充填容器の上端間に比較的大きな空間が残り、同じく転倒による商品価値の低下の可能性を招くことがある。
【０００６】
本発明はかかる事情に鑑みてなされたもので、その解決課題とするところは、クレートと食品充填容器の上端間の空間によって生じることのある転倒による商品価値の低下を防止して該食品充填容器を保護し得るようにしたクレートのトッププレート及びこれを用いたクレートを提供するにある。
【課題を解決するための手段】
【０００７】
上記課題に沿って本発明は、平面円形多数の食品充填容器を列方向及び行方向に収納搬送するクレートに用いるトッププレートであって、前記食品充填容器が、広口にして側面視逆台形状をなすように側面を傾斜面とした断面円形有底のカップ型の容器であり、クレートの列方向及び行方向に隣接する４個の食品充填容器の間に形成される面内所定位置の空隙に曲げ起し挿入して該４個のうち対角位置で隣接する２個の食品充填容器に対接することによって食品充填容器を定位置に保持する曲げ起し片を備えて塑性板材によって形成してなり、前記折り曲げ片が、その短辺を残して対向する斜辺及び長辺に切込み乃至スリットを入れることによって曲げ起しを可能とした台形状に形成され、前記折り曲げ片を前記空隙に曲げ越し挿入することで、前記折り曲げ片の前記斜辺が、前記食品充填容器の前記側面に圧接することを特徴とするクレート用トッププレートとしたものである。
【０００８】
請求項２に記載の発明は、上記に加えて、可及的少ない曲げ起し片の配置によって、可及的効率よく確実に食品充填容器の定位置の保持をなし得るものとするように、これを、上記曲げ起し片を、コーナーに収容した食品充填容器に列方向及び行方向に隣接し且つ対角位置で隣接する２つの食品充填容器に対接するように面内端部近傍位置に配置してなることを特徴とする請求項１に記載のクレート用トッププレートとしたものである。
【０００９】
請求項３に記載の発明は、同じく上記に加えて、トッププレートをワンウエイ用としてコスト面及び廃棄乃至リサイクルの面で好適なものとするように、これを、上記塑性板材をダンボール紙又は厚紙によって形成してワンウエイ用としてなることを特徴とする請求項１又は２に記載のクレート用トッププレートとしたものである。
【００１０】
請求項４に記載の発明は、同じく上記に加えて、クレートに収納した食品充填容器を可及的簡易に識別し得るものとするように、これを、上記多数収納した食品充填容器上の面内位置に該食品充填容器の平面より径小の透視孔を配置してなることを特徴とする請求項１、２又は３に記載のクレート用トッププレートとしたものである。
【００１１】
請求項５に記載の発明は、上記トッププレートを用いるクレートをワンウエイ用としてコスト面及び廃棄乃至リサイクルの面で好適なものとするように、これを、請求項１、２、３又は４に記載のトッププレートを用い、ダンボール又は厚紙によって形成して、平面円形の食品充填容器を列方向及び行方向に多数収納して搬送するワンウエイ用としてなることを特徴とするトッププレートを用いたクレートとしたものである。
【００１２】
本発明はこれらをそれぞれ発明の要旨として、上記課題解決の手段としたものである。
【００１３】
なお、本発明にあって曲げ起し片、曲げ起しは、平坦なトッププレートにあってその塑性を利用して下方に向けて曲げ変形することを意味する。
【発明の効果】
【００１４】
本発明は以上のとおりに構成したから、請求項１に記載の発明は、平面円形多数の食品充填容器を列方向及び行方向に収納搬送するクレートに、その収納した食品充填容器上を被覆載置するようにトッププレートを用いて、上下積上げの場合に、上段のクレートを受け止める介装ベースとするとともに該トッププレートに該トッププレートの塑性を利用した曲げ起し片を配置し、列方向及び行方向に配置することによって生じる食品充填容器間の空隙に該曲げ起し片を曲げ起し挿入して、これを平面Ｘ字状一方の対角位置で隣接する２個の食品充填容器に対接することによって食品充填容器を定位置に保持し、クレートと食品充填容器の上端間の空間によって生じることのある揺動や転倒を防止し、商品価値の低下を防止して該食品充填容器を保護するクレートのトッププレートを提供することができる。
【００１５】
請求項２に記載の発明は、上記に加えて、可及的少ない曲げ起し片の配置によって、可及的効率よく確実に食品充填容器の定位置の保持をなし得るものとすることができる。
【００１６】
請求項３に記載の発明は、同じく上記に加えて、トッププレートをワンウエイ用としてコスト面及び廃棄乃至リサイクルの面で好適なものとすることができる。
【００１７】
請求項４に記載の発明は、同じく上記に加えて、クレートに収納した食品充填容器を可及的簡易に識別し得るものとすることができる。
【００１８】
請求項５に記載の発明は、上記トッププレートを用いるクレートをワンウエイ用としてコスト面及び廃棄乃至リサイクルの面で好適なものとすることができる。
【図面の簡単な説明】
【００１９】
【図１】クレートとトッププレートの関係を示す斜視図である。
【図２】トッププレートの平面図である。
【図３】曲げ起し片と食品充填容器との関係を示す部分拡大図である。
【図４】透視孔と食品充填容器との関係を示す部分拡大図である。
【図５】クレートの斜視図である。
【図６】クレートの展開図である。
【発明を実施するための形態】
【００２０】
以下図面の例に従って本発明を更に具体的に説明すれば、１は、例えばチルド流通を行うに用いる、平面円形多数の食品充填容器３を列方向及び行方向に収納搬送するクレート２に用いるトッププレートであり、本例にあってトッププレート１及びクレート２は、これらをそれぞれダンボール紙又は厚紙によって形成してワンウエイ用としてあり、また、本例の食品充填容器３は、広口にして側面視逆台形状をなすように側面を傾斜面とした断面円形有底のカップ型の容器に、例えばプリン、ヨーグルト、ゼリーのような食品を充填し且つ該容器の上端に商品名等の必要事項を印刷表示したシール蓋を固定してその開口を閉塞密封したものとしてある。
【００２１】
トッププレート１は、上記クレート２の列方向及び行方向に隣接する４個の食品充填容器の間に形成される面内所定位置の空隙に曲げ起し挿入して該４個のうち対角位置で隣接する２個の食品充填容器に対接することによって食品充填容器３を定位置に保持する曲げ起し片１１を備えて塑性板材によって形成したものとしてある。
【００２２】
本例にあって塑性材料は、上記段ボール又は厚紙、例えば段ボール板とし、面内に上記曲げ起し片１１を、例えば４箇所配置したものとしてあり、このとき本例のトッププレート１は、これを、コーナーに収容した食品充填容器３に列方向及び行方向に隣接し且つ対角位置で隣接する２つの食品充填容器３に対接するように面内端部近傍位置、本例にあっては面内コーナー近傍位置に配置したものとしてあり、また、該トッププレート１は、上記多数収納した任意の食品充填容器３上の面内位置に該食品充填容器３の平面より径小又は任意形状の透視孔１２を配置してある。
【００２３】
本例のトッププレート２は、例えば、図示したように容量２００ｇ用に３０ｃｍ×２５ｃｍ程度にして、４列３行の１２個用とし又はこれより幾分大きめの容量１２０ｇ用に３５ｃｍ×２７ｃｍ程度にして５列４行の２０個用として、それぞれ食品充填容器３の外径を列方向及び行方向に合計して設定した寸法の面積を有する矩形板によるものとしてあり、このとき段ボールの芯目、即ち波目はトッププレート１の長手方向、即ち行方向に沿うように配置し、その強度を確保するようにしてある。
【００２４】
トッププレート１の上記面内端部近傍位置に配置した曲げ起し片１１は、コーナー位置にあって食品充填容器の上部に曲げ起し片１１の上端部を、列方向及び行方向の２個の食品充填容器３の側面に曲げ起し片１１の幅方向両端をそれぞれ対接するように、これを配置してあり、このとき該曲げ起し片１１は、例えば台形をなす形状にして、その短辺を残して対向する斜辺及び長辺に切込み乃至スリットを入れることによって該曲げ起しを可能とした台形状に形成するか、図示したように、更に対向する斜辺の長辺側部分と長辺近傍を部分的に切り取り除去した透孔付きの台形状に形成するとともに該曲げ起し片１１の先端部分をやや内側に湾曲する形状として曲げ起しを容易化するとともにその幅方向両端部をアール状に湾曲して食品充填容器３の側面に対する対接を、その接触面積を可及的に小さくして、食品充填容器３に対接痕を残すことのないようにしてある。
【００２５】
本例のトッププレート１における曲げ起し片１１は、例えば短辺を４ｃｍ、透孔側の長辺を５ｃｍ、切り込み側の斜辺を２ｃｍ程度とし、該切り込みにより下方に向けて起立するように曲げ起すことによって表面から斜辺の長さに応じて２ｃｍ程度の食品充填容器３側に向けた挿入をなし得るようにしてある。
【００２６】
本例にあって曲げ起し片１１は、トッププレート１の面内端部近傍位置に、それぞれコーナーに位置する隣接する一対の食品充填容器３を定位置に保持するように、コーナーに向けて曲げ起しをなし得るように、これを４箇所配置してあり、これによって可及的に少ない数の曲げ起し片１１の設置でクレート２に収納した食品充填容器３を効率よく定位置に保持し得るようにしてある。即ち、曲げ起し片は、例えば４列３行１２個の場合は、１、２列間と１、２行間及び２、３行間、２、３列間と同じく１、２行間及び２、３行間の４つの空隙、即ち、食品充填容器３の間に形成される合計６つのうち中間の２つを除く４つの上記面内端部近傍位置の空隙に対して、また、５列４行２０個の場合は、１、２列間と１、２行間及び３、４行間、４、５列間と同じく１、２行間及び３、４行間の４つの空隙、即ち、食品充填容器３の間に形成される合計１２のうちの中間の８つを除く４つの面内端部近傍位置の空隙位置に対してそれぞれ曲げ起しによる挿入をなし得るように配置してある。このように曲げ起し片１１を面内端部近傍位置の４箇所に配置することによって、トッププレート１は、後述のクレート２に収容した多数の食品充填容器３上を被覆するとともに上下積上げの場合に、上段のクレート２を受け止める介装ベースとする一方、クレート２にあってコーナーの食品充填容器３に列方向及び行方向に隣接し且つ対角位置で隣接する２つの食品充填容器３を曲げ起し片１１によって引掛け状として該食品充填容器３の位置決めを行うように、曲げ起し片１１の両端部を食品充填容器３の側面に圧接するように対接して、食品充填容器３の相対的な位置関係を維持することによってこれを定位置に保持して、クレートに対する振動やクレートの傾斜保持による揺動や転倒を可及的有効且つ確実に防止し得るようにしてある。
【００２７】
本例にあって透視孔１２は、上記食品充填容器３の平面より径小にして、円周の一部を除去した形状としてあり、このとき該透視孔１２の径は、食品充填容器３の径より１ｃｍ程度径小とした６〜７ｃｍのものとし、コーナー位置又は面内の端部中間位置に、例えば１箇所を配置したものとしてある。該透視孔１２を配置することによって、該透視孔１２によりトッププレート１で被覆した食品充填容器３のシール蓋及びこれに印刷した商品名等を、該トッププレート１を外すことなく確認し得るようにしてある。
【００２８】
該トッププレート１を用いる本例のクレート２は、ダンボール又は厚紙によって形成して、平面円形の食品充填容器３を列方向及び行方向に多数収納して搬送するワンウエイ用としたものとしてあり、このとき該クレート２は、食品充填容器３を１段に平積みするように、同じく、図示したように容量２００ｇ用に３７ｃｍ×３０ｃｍ程度の開口面積と７ｃｍ程度の深さを有して４列３行の１２個を収容し又はこれよりやや大きめにして容量１２０ｇ用に３７ｃｍ×２８ｃｍ程度の開口面積と同じく７ｃｍ程度の深さを有して５列４行の２０個を収容するものとしてあり、このとき該クレート２は、底板２１からその四周に起立壁２２を起立配置するとともに該底板２１を、上記開口面積より１〜２ｃｍ程度小さく形成することによって該起立壁２２をそれぞれ外側に傾斜して上端において、上記トッププレート１を落し込み状に受入れ可能とするように上記開口面積を拡大することによって上端に拡開した開口を有するものとしてあり、これによって該クレート２は、これを上記カップ型の容器を用いた食品充填容器３の収容に適したものとしてある。
【００２９】
該クレート２は、図６に示すように、段ボールから型取りしたプレートの底板２１部分を下面にして周縁の起立壁２２をそれぞれ上記傾斜するように起立し且つ起立壁２２長手方向先端の固定片２３を、起立壁２２に対して上向き傾斜して、例えば接着によって固定することによって、上端を広面積とする上記拡開開口を形成するとともに対向する一方の起立壁２２の長手方向端部に突出形成し、また、その一方の固定片２３に突出形成した突片２４を、クレート２の積み重ねに際して上段配置のクレート２の横ずれを防止するずれ防止用として、クレート２の形成時に各コーナーにそれぞれ平面Ｌ字状をなすように配置したものとしてある。
【００３０】
このとき該クレート２は、その底板２１部分と対向する他方の起立壁２２との間に横長長寸としてクレートの内外を連通して、例えば冷却室やチルド流通時にクレート内に冷気を導入循環させる冷気孔２５を配置し、また、４つのうち対向する一対のコーナーに矩形短寸として、上下に積上げたクレート２を容易に引き出し自在とするようにした手掛け孔２６を配置してある。
【００３１】
このように形成した本例のトッププレート１及びクレート２は、段ボールを用いたワンウエイのものとしたから、例えば工場で加熱液を充填してシール蓋で密封した状態で、食品充填容器３をクレートに収容し、冷却室を経由して、配送センターに一時保管した後、冷蔵施設を有する車両によって小売店に搬送し、小売店でトッププレート１を取り外してクレート２から食品充填容器３を取り出して店頭に陳列販売する一方、該トッププレート１及びクレート２を廃棄乃至リサイクル、特にリサイクルするように用いるものとしてあり、このとき、トッププレート１は、クレート２に収容した食品充填容器３上に、該食品充填容器３を被覆し、これに載置するように該クレート２の拡開開口に嵌め込み状に配置し、該配置状態で上記４箇所の曲げ起し片１１を下方に向けて曲げ起して、上記４箇所の空隙に挿入し、本例にあっては、上記コーナーに収容した食品充填容器３に列方向及び行方向に隣接し且つ対角位置で隣接する２個の食品充填容器３に対接し、該コーナーに収容した食品充填容器３を挟持するようにすることによって、最上位に積上げたクレート２にあっても冷却室における風圧によってトッププレート１が吹き飛ぶようなトラブルを招くことなくこれを確実に保持し得るとともにクレート２に収容した食品充填容器３を全体的に定位置に保持し、クレート２における揺動や転倒を防止して、荷崩れ状のトラブルやこれによる商品価値の低下を招くことなく、小売店に至るまでの搬送を行うことができ、また、クレート２の上下の積上げに際して下段の食品充填容器３を保護する介装ベースとして作用する一方、トッププレート１は、曲げ起し片１１を食品充填容器３に載置するように配置した状態で、例えば機械的又は手動的に曲げ起しするところ、該曲げ起しは表裏双方に対してなし得るから、該トッププレート３の載置は、その表裏を問うことなく行うことができ、更に、透視孔１２の配置によって、食品充填容器３の脱落や飛び出しを防止しつつ、クレート２に収容した食品充填容器３のシール蓋を確認することができる。
【００３２】
図示した例は以上のとおりとしたが、トッププレートを、曲げ起し片の曲げ起しを可能とする厚紙、合成樹脂等による適宜材質の塑性板材によるものとして、上記段ボール又は厚紙のクレートに用い、また合成樹脂一体成形のクレートに用いるようにすること、必要に応じて曲げ起し片を、上記４箇所以上の適宜の空隙に挿入するようにその数を増加すること、曲げ起し片をその突出方向中間で更に折曲して空隙に面する隣接２対の食品充填容器間を埋めるように対接するものとすること等を含めて、トッププレート、曲げ起し片、クレート、食品充填容器、必要に応じて用いる塑性板材、透視孔等の各具体的形状、構造、材質、これらの関係、これらに対する付加等は、上記発明の要旨に反しない限り様々な形態のものとすることができる。
【符号の説明】
【００３３】
１  トッププレート
１１  曲げ起し片
１２  透視孔
２  クレート
２１  底板
２２  起立壁
２３  固定片
２４  突片
２５  冷気孔
２６  手掛け孔
３  食品充填容器
【図１】
0005523994.tif 000002
【図２】
0005523994.tif 000003
【図３】
0005523994.tif 000004
【図４】
0005523994.tif 000005
【図５】
0005523994.tif 000006
【図６】
0005523994.tif 000007